(57)【要約】【課題】周波数帯域が異なる複数のアンテナを備えたカード型無線装置を提供する。【解決手段】回路基板５０には、第１周波数帯域の電波を受信する第１アンテナ２１０と、第１周波数帯域より周波数が高い第２周波数帯域の電波を受信する第２アンテナ２２０と、第２周波数帯域より周波数が高い第３周波数帯域の電波を受信する第３アンテナ２３０とが形成される。第１アンテナ２１０、第２アンテナ２２０、及び第３アンテナ２３０は、回路基板５０の縁（５０１）に沿って並んで配置される。第１アンテナ２１０及び第２アンテナ２２０は、回路基板５０の角（５１１、５１２）に配置される。第３アンテナ２３０は、第１アンテナ２１０と第２アンテナ２２０との間に配置される。【選択図】図４
2020014101.tif 000002
【特許請求の範囲】
【請求項１】
複数のアンテナが形成された回路基板を有するカード型無線装置であって、
前記回路基板には、
第１周波数帯域の電波を受信する第１アンテナと、
前記第１周波数帯域より周波数が高い第２周波数帯域の電波を受信する第２アンテナと、
前記第２周波数帯域より周波数が高い第３周波数帯域の電波を受信する第３アンテナとが形成されており、
前記第１アンテナ、前記第２アンテナ、及び前記第３アンテナは、前記回路基板の縁に沿って並んで配置されており、
前記第１アンテナ及び前記第２アンテナは、それぞれ前記回路基板の角に配置され、
前記第３アンテナは、前記第１アンテナと前記第２アンテナとの間に配置される、
カード型無線装置。
【請求項２】
前記第１アンテナ及び前記第２アンテナは、それぞれ前記回路基板の角に沿ってＬ字状に曲がっており、
前記第３アンテナは、前記回路基板の縁に沿って直線状に伸びている、
請求項１に記載のカード型無線装置。
【請求項３】
前記第１アンテナは、前記回路基板の角に沿ってＬ字状に曲がっているとともに、前記第３アンテナと隣接する場所において、前記回路基板の縁に沿った方向から当該縁に対して離れる方向へＬ字状に曲がっており、
前記第１アンテナと前記第３アンテナとの間には、回路部品を実装しない未実装領域が設けられている、
請求項２に記載のカード型無線装置。
【請求項４】
前記第１アンテナ、前記第２アンテナ、及び前記第３アンテナは、前記回路基板の一方の面にのみ形成される、
請求項１〜３の何れか一項に記載のカード型無線装置。
【請求項５】
前記回路基板には、
近距離無線通信用アンテナと、
非接触充電用コイルとが更に形成されており、
前記回路基板は、矩形の形状を持ち、
前記第１アンテナ、前記第２アンテナ、及び前記第３アンテナは、前記回路基板の一方の短辺に沿って並んで配置され、
前記近距離無線通信用アンテナ及び前記非接触充電用コイルは、前記回路基板の一方の長辺に沿って並んで配置される、
請求項１〜４の何れか一項に記載のカード型無線装置。
【請求項６】
前記回路基板における前記一方の短辺と他方の短辺との間の中間領域に配置され、前記非接触充電用コイルを通じて供給される電気エネルギーを蓄積する板状のバッテリーと、
前記バッテリーと前記回路基板との間に配置され、前記バッテリーに対して前記近距離無線通信用アンテナと前記非接触充電用コイルとを覆うシート状の磁性部材とを有する、
請求項５に記載のカード型無線装置。
【請求項７】
前記バッテリーが配置された前記回路基板の前記中間領域が、回路部品を実装しない未実装領域となっている、
請求項６に記載のカード型無線装置。
【請求項８】
前記第１アンテナ、前記第２アンテナ、及び前記第３アンテナは、前記回路基板の一方の面にのみ形成され、
前記近距離無線通信用アンテナ及び前記非接触充電用コイルは、少なくとも前記回路基板の他方の面に形成される、
請求項５〜７の何れか一項に記載のカード型無線装置。
【発明の詳細な説明】
【技術分野】
【０００１】
本発明は、無線通信機能を備えたカード型無線装置に関するものである。
【背景技術】
【０００２】
無線通信機能を備えたカード型無線装置として、ＲＦＩＤなどの近距離無線通信の機能を備えたＩＣカードが一般的に知られている。また、Ｂｌｕｅｔｏｏｔｈ（商標）の低消費電力の近距離通信技術であるＢＬＥ（Bluetooth Low Energy）を利用して位置検出や情報配信などを行うビーコン通信の機能を備えたカード型の装置も実用化されている。
【発明の概要】
【発明が解決しようとする課題】
【０００３】
しかしながら、上述した従来のカード型無線装置は１つの通信機しか備えていないため、適用範囲が限られているという不利益がある。例えば、ビーコンの通信機能を備えたカード型無線装置によれば、屋内での位置を検出することは可能だが、ＧＮＳＳ（global navigation satellite system）受信機を搭載していないため、屋外の広い範囲で位置検出はできない。また、ＢＬＥに基づくビーコンの通信機能のみでサーバと通信を行うためには、複数のビーコン通信機によるメッシュネットワークを形成する必要があり、各ビーコン通信機の消費電力が大きくなる。
【０００４】
一方、カード型無線装置は全体的に薄く小型であるため、複数の通信機を搭載した場合にそれぞれ所望の性能を達成することが難しい。特にアンテナの特性は、周囲の導電体の影響を受け易いため、薄くて小型なカード型無線装置の内部に複数のアンテナを配置した場合、装置内の部品や装置外の導電体（人体など）の影響によって所望の特性を得ることが難しい。
【０００５】
本発明はかかる事情に鑑みてなされたものであり、その目的は、周波数帯域が異なる複数のアンテナを備えたカード型無線装置を提供することにある。
【課題を解決するための手段】
【０００６】
本発明の一態様に係るカード型無線装置は、複数のアンテナが形成された回路基板を有する。回路基板には、第１周波数帯域の電波を受信する第１アンテナと、第１周波数帯域より周波数が高い第２周波数帯域の電波を受信する第２アンテナと、第２周波数帯域より周波数が高い第３周波数帯域の電波を受信する第３アンテナとが形成されている。第１アンテナ、第２アンテナ、及び第３アンテナは、回路基板の縁に沿って並んで配置されている。第１アンテナ及び第２アンテナは、それぞれ回路基板の角に配置される。第３アンテナは、第１アンテナと第２アンテナとの間に配置される。
【０００７】
好適に、第１アンテナ及び第２アンテナは、それぞれ回路基板の角に沿ってＬ字状に曲がっていてよい。第３アンテナは、回路基板の縁に沿って直線状に伸びていてよい。
【０００８】
好適に、第１アンテナは、回路基板の角に沿ってＬ字状に曲がっているとともに、第３アンテナと隣接する場所において、回路基板の縁に沿った方向から当該縁に対して離れる方向へＬ字状に曲がっていてよい。第１アンテナと第３アンテナとの間には、回路部品を実装しない未実装領域が設けられていてよい。
【０００９】
好適に、第１アンテナ、第２アンテナ、及び第３アンテナは、回路基板の一方の面にのみ形成されてよい。
【００１０】
好適に、回路基板には、近距離無線通信用アンテナと、非接触充電用コイルとが更に形成されていてよい。回路基板は、矩形の形状を持ってよい。第１アンテナ、第２アンテナ、及び第３アンテナは、回路基板の一方の短辺に沿って並んで配置されてよい。近距離無線通信用アンテナ及び非接触充電用コイルは、回路基板の一方の長辺に沿って並んで配置されてよい。
【００１１】
好適に、上記カード型無線装置は、回路基板における一方の短辺と他方の短辺との間の中間領域に配置され、非接触充電用コイルを通じて供給される電気エネルギーを蓄積する板状のバッテリーと、バッテリーと回路基板との間に配置され、バッテリーに対して近距離無線通信用アンテナと非接触充電用コイルとを覆うシート状の磁性部材とを有してよい。
【００１２】
好適に、バッテリーが配置された回路基板の中間領域が、回路部品を実装しない未実装領域となっていてよい。
【００１３】
好適に、第１アンテナ、第２アンテナ、及び第３アンテナは、回路基板の一方の面にのみ形成されてよい。近距離無線通信用アンテナ及び非接触充電用コイルは、少なくとも回路基板の他方の面に形成されてよい。
【発明の効果】
【００１４】
本発明によれば、周波数帯域が異なる複数のアンテナを備えたカード型無線装置を提供できる。
【図面の簡単な説明】
【００１５】
【図１】図１は、本実施形態に係るカード型無線装置の構成の一例を示す図である。
【図２】図２Ａは、カード型無線装置の外観の一例を示す斜視図であり、図２Ｂは、カード型無線装置の内部構造の一例を示す拡大断面図である。
【図３】図３は、回路基板の表面における部品の配置の一例を示す図である。
【図４】図４は、回路基板の表面に形成される導体パターンの一例を示す図である。
【図５】図５は、回路基板の裏面に形成される導体パターンの一例を示す図である。
【発明を実施するための形態】
【００１６】
図１は、本実施形態に係るカード型無線装置１の構成の一例を示す図である。図２Ａは、カード型無線装置１の外観の一例を示す斜視図であり、図２Ｂは、カード型無線装置１の内部構造の一例を示す拡大断面図である。本実施形態に係るカード型無線装置１は、図２Ａに示すように、クレジットカードなどの一般的なカードの形状（矩形の薄い板形状）を持っており、図１に示すように複数の通信機を備えている。
【００１７】
図１に示すカード型無線装置１は、加速度センサ１１と、入力部１２と、表示部１３と、処理部１４と、記憶部１５と、ＬＰＷＡ通信部２１と、ＧＮＳＳ受信部２２と、ＢＬＥ通信部２３と、近距離無線通信部２４と、充電部２５と、バッテリー３０とを有する。ＬＰＷＡ通信部２１には第１アンテナ２１０が接続され、ＧＮＳＳ受信部２２には第２アンテナ２２０が接続され、ＢＬＥ通信部２３には第３アンテナ２３０が接続され、近距離無線通信部２４には近距離無線通信用アンテナ２４０が接続され、充電部２５には非接触充電用コイル２５０が接続される。
【００１８】
加速度センサ１１は、カード型無線装置１に加わる加速度を検出するセンサであり、例えば、直交する３方向の加速度を検出する。
【００１９】
入力部１２は、使用者の指示を入力する装置であり、例えば押しボタンスイッチを含む。
【００２０】
表示部１３は、情報を表示する装置であり、例えばＬＥＤなどの発光素子を含む。
【００２１】
処理部１４は、カード型無線装置１の各部の動作を統括的に制御する装置であり、例えば記憶部１５に格納されるプログラムの命令コードに従って処理を実行するコンピュータを含む。処理部１４は、コンピュータの他に、特定の処理を実行する専用のハードウェアを含んでいてもよい。
【００２２】
記憶部１５は、処理部１４における処理の実行過程で一時的に保存されるデータや、特定の処理において繰り返し利用される定数データ、処理部１４のコンピュータにおいて実行されるプログラムなどを記憶する。記憶部１５は、例えば、ＲＯＭ、ＲＡＭ、フラッシュメモリなどの半導体メモリを含む。
【００２３】
ＬＰＷＡ通信部２１は、例えばＬｏＲａ（商標）などのＬＰＷＡ（low power wide area）型の通信を行う装置であり、周波数帯域としてサブＧＨｚ帯（例えば９２０ＭＨｚ）を用いる。ＬＰＷＡ通信部２１による伝送距離は１〜２ｋｍ程度であり、後述するＢＬＥ通信部２３に比べて長距離の通信が可能である。
【００２４】
ＧＮＳＳ受信部２２は、例えばＧＰＳ（global positioning system）などの複数の測位衛星から放送される測位用の信号を第２アンテナ２２０において受信し、受信した信号に基づいて地理的な位置の情報を取得する。ＧＮＳＳ受信部２２は、１．２ＧＨｚ〜１．５ＧＨｚの周波数帯域において電波を受信する。
【００２５】
ＢＬＥ通信部２３は、屋内などに配置された通信機との間でＢＬＥ規格に基づくビーコン通信を行う。ＢＬＥ通信部２３による伝送距離は数ｍ〜数十ｍであり、ＬＰＷＡ通信部２１に比べて通信可能な距離が短い。ＢＬＥ通信部２３が使用する周波数帯域は２．４ＧＨｚであり、ＬＰＷＡ通信部２１やＧＮＳＳ受信部２２に比べて周波数が高い。
【００２６】
近距離無線通信部２４は、ＲＦＩＤ（radio frequency identifier）などの無線通信を行う装置であり、通信可能な距離は例えば数ｃｍ〜１ｍ程度である。近距離無線通信部２４は、近接するリーダ装置から送信された電波を近距離無線通信用アンテナ２４０において受信すると、その電波を整流することによって得た直流電圧により処理部１４をスリープ状態から起動させる。
【００２７】
充電部２５は、外部のワイヤレス充電器の給電用コイルと非接触充電用コイル２５０との電磁誘導により伝送される電力に基づいて、バッテリー３０を充電する。バッテリー３０の充電電圧に基づく電源電圧が、カード型無線装置１の各電子回路に供給される。
【００２８】
バッテリー３０は、非接触充電用コイル２５０を通じて外部のワイヤレス充電器から供給される電気エネルギーを蓄積する。バッテリー３０は、カード型無線装置１の内部に収まるように、薄い板状の形状を持つ。
【００２９】
ここで、図１に示すカード型無線装置１の動作を簡単に説明する。
【００３０】
処理部１４は、基本的にスリープ状態となっており、例えば加速度センサ１１においてしきい値を超える加速度が検出された場合や、入力部１２において入力操作が行われた場合、充電部２５においてワイヤレス充電器の給電用コイルと非接触充電用コイル２５０との電磁誘導が検出された場合などにおいて起動する。スリープ状態から起動した処理部１４は、所定の処理を実行した後、再びスリープ状態に戻る。
【００３１】
処理部１４は、加速度センサ１１の検出信号に応じて起動した場合、ＢＬＥ通信部２３においてビーコン通信を行い、屋内等に設置された他のＢＬＥ通信機からの受信信号の強度に基づく位置情報を取得する。また、処理部１４は、ＧＮＳＳ受信部２２において測位衛星からの信号を受信し、地理的な位置情報を取得する。処理部１４は、これらの位置情報を取得すると、ＢＬＥ通信部２３及びＧＮＳＳ受信部２２の動作を停止させ、次にＬＰＷＡ通信部２１を起動させる。処理部１４は、ＢＬＥ通信部２３及びＧＮＳＳ受信部２２においてそれぞれ取得した位置情報を、ＬＰＷＡ通信部２１によって遠隔地のサーバへ送信する。処理部１４は、サーバへの位置情報の送信が完了すると、ＬＰＷＡ通信部２１の通信動作を停止させ、スリープ状態に戻る。
【００３２】
また処理部１４は、入力部１２における入力操作（押しボタンスイッチの押下など）により起動した場合、ＬＰＷＡ通信部２１を起動させて、入力操作の通知信号をＬＰＷＡ通信部２１からサーバに送信する。処理部１４は、サーバへの通知信号の送信が完了すると、ＬＰＷＡ通信部２１の動作を停止させ、スリープ状態に戻る。
【００３３】
また処理部１４は、充電部２５においてワイヤレス充電器との電磁誘導が検出されたことにより起動した場合、充電部２５によるバッテリー３０の充電を監視し、充電が完了するとスリープ状態に戻る。
【００３４】
次に、カード型無線装置１の各電子回路の部品が実装される回路基板５０について説明する。図３は、回路基板５０の表面における部品の配置の一例を示す図である。図４は、回路基板５０の表面に形成される導体パターンの一例を示す図である。図５は、回路基板５０の裏面に形成される導体パターンの一例を示す図である。
【００３５】
図２Ａ、図２Ｂ、図３〜図５の例では、カード型無線装置１を基準とする互いに直交した３つの方向（Ｘ、Ｙ、Ｚ）が規定されている。Ｘ方向は、互いに逆向きのＸ１方向及びＸ２方向を含む。Ｙ方向は、互いに逆向きのＹ１方向及びＹ２方向を含む。Ｚ方向は、互いに逆向きのＺ１方向及びＺ２方向を含む。Ｚ１側は表側とも呼ばれ、Ｚ２側は裏側とも呼ばれる。図４〜図５は、それぞれ回路基板５０を表側から見た図である。ただし、図５は、回路基板５０の裏面に形成された導体パターンを表側から透視しているように図解したものである。
【００３６】
回路基板５０は、図２Ｂに示すように、表面が表カバー６１により覆われ、裏面が裏カバー６２により覆われている。表カバー６１は接着層４１によって回路基板５０の表面に接着され、裏カバー６２は接着層４２によって回路基板５０の裏面に接着される。図２Ｂに示すように、ＩＣチップなどの回路部品７０は回路基板５０の表面に実装されており、回路基板５０の裏面には実装されていない。
【００３７】
回路基板５０は、例えば多層基板であり、図２Ｂの例では４つの層（５１〜５４）を持つ。図４に示す表面の導体パターンは回路基板５０の第１層５１に形成されたものであり、図５に示す裏面の導体パターンは回路基板５０の第４層５４に形成されたものである。
【００３８】
回路基板５０は、図３〜図５に示すように、カード型無線装置１の外形とほぼ同じ矩形の形状を持つ。図３〜図５において、「５０１」及び「５０２」は矩形形状の短辺を示し、「５０３」及び「５０４」は矩形形状の長辺を示す。また、「５１１」は短辺５０１と長辺５０３とが交わる角を示し、「５１２」は短辺５０１と長辺５０４とが交わる角を示し、「５１３」は短辺５０２と長辺５０４とが交わる角を示し、「５１４」は短辺５０２と長辺５０３とが交わる角を示す。短辺５０１及び５０２はＹ方向に対して平行であり、短辺５０１が短辺５０２よりＸ１側に位置する。長辺５０３及び５０４はＸ方向に対して平行であり、長辺５０３が長辺５０４よりＹ１側に位置する。
【００３９】
第１アンテナ２１０、第２アンテナ２２０、及び第３アンテナ２３０は、図４に示すように、それぞれ回路基板５０の導体パターンとして形成されており、回路基板５０の縁（短辺５０１）に沿って並んでいる。第１アンテナ２１０は角５１１に配置され、第２アンテナ２２０は角５１２に配置される。第３アンテナ２３０は、第１アンテナ２１０と第２アンテナ２２０との間に配置される。
【００４０】
図３に示すように、第１アンテナ２１０が形成される領域２１１と第３アンテナ２３０が形成される領域２３１との間には、回路部品を実装しない未実装領域５３０が設けられている。また、第３アンテナ２３０が形成される領域２３１と第２アンテナ２２０が形成される領域２２１との間にも、回路部品を実装しない未実装領域５３１が設けられている。
【００４１】
図４に示すように、第１アンテナ２１０は、回路基板５０の角５１１に沿ってＬ字状に曲がっているとともに、第３アンテナ２３０と隣接する場所において、回路基板５０の縁（短辺５０１）に沿った方向（Ｙ２方向）から当該縁（短辺５０１）に対して離れる方向（Ｘ２方向）へＬ字状に曲っている。すなわち第１アンテナ２１０は、長辺５０３に沿って伸びた導体部分２１０Ｃと、短辺５０１に沿って伸びた導体部分２１０Ｂと、短辺５０１から離れる方向に伸びた導体部分２１０Ａとを有しており、導体部分２１０Ｂの一端と導体部分２１０Ｃの一端とが角５１１においてＬ字状に交わり、導体部分２１０Ｂの他端と導体部分２１０Ａの一端とが短辺５０１の中間部においてＬ字状に交わっている。ＬＰＷＡ通信部２１の送信出力及び受信入力は、導体部分２１０Ａの他端に接続される。
【００４２】
図４に示すように、第２アンテナ２２０は、回路基板５０の角５１２に沿ってＬ字状に曲っている。すなわち第２アンテナ２２０は、長辺５０４に沿って伸びた導体部分２２０Ａと、短辺５０１に沿って伸びた導体部分２２０Ｂとを有しており、導体部分２１０Ｂの一端と導体部分２１０Ａの一端とが角５１２においてＬ字状に交わっている。ＧＮＳＳ受信部２２の受信入力は、導体部分２２０Ａの他端に接続される。
【００４３】
図４に示すように、第３アンテナ２３０は、回路基板５０の縁（短辺５０１）に沿って直線状に伸びている。ＢＬＥ通信部２３の送信出力及び受信入力は、第３アンテナ２３０の一端（Ｙ２側の端部）に接続される。
【００４４】
図４及び図５に示すように、第１アンテナ２１０、第２アンテナ２２０、及び第３アンテナ２３０は回路基板５０の表面のみに形成されており、回路基板５０の裏面には形成されていない。
【００４５】
図４及び図５に示すように、近距離無線通信用アンテナ２４０及び非接触充電用コイル２５０は、回路基板５０の長辺５０４に沿って並んで配置されている。近距離無線通信用アンテナ２４０及び非接触充電用コイル２５０は、それぞれ渦巻き状の導体パターンであり、近距離無線通信用アンテナ２４０は全体的に矩形の渦巻きをなし、非接触充電用コイル２５０は全体的に円形の渦巻きをなしている。近距離無線通信用アンテナ２４０は、非接触充電用コイル２５０よりも短辺５０１側（Ｘ１側）に配置される。近距離無線通信用アンテナ２４０は回路基板５０の裏面に形成され、非接触充電用コイル２５０は回路基板５０の両面（裏面及び表面）に形成される。
【００４６】
図３に示すように、板状のバッテリー３０は平面視において概ね矩形の形状を持つ。バッテリー３０は、回路基板５０の表面であって、短辺５０１及び５０２の間の中間領域５５０に配置される。中間領域５５０には、図４及び図５に示すように、近距離無線通信用アンテナ２４０及び非接触充電用コイル２５０も配置されており、これらの導体パターンとバッテリー３０とが近接した状態となる。そこで、回路基板５０とバッテリー３０との間には、図２Ｂに示すように、シート状の磁性部材３１が配置される。磁性部材３１は、バッテリー３０に対して近距離無線通信用アンテナ２４０と非接触充電用コイル２５０とを覆っている。バッテリー３０が配置された中間領域５５０は、図３に示すように、回路部品を実装しない未実装領域となっている。
【００４７】
図３に示すように、ＬＰＷＡ通信部２１を含むＬＰＷＡ用ＩＣチップ７１は、第１アンテナ２１０が形成される領域２１１のＸ２側に隣接して配置される。ＧＮＳＳ受信部２２を含むＧＮＳＳ用ＩＣチップ７２は、第２アンテナ２２０が形成される領域２２１のＸ２側に隣接して配置される。ＢＬＥ通信部２３を含むＢＬＥ用ＩＣチップ７３は、第３アンテナ２３０が形成される領域２３１のＸ２側に隣接して配置される。
【００４８】
回路基板５０において非接触充電用コイル２５０が配置された領域の短辺５０２側（Ｘ２側）には、図３に示すように、充電部２５を含んだ充電用ＩＣチップ７４が配置される。
【００４９】
回路基板５０の表面においてアンテナ類（第１アンテナ２１０、第２アンテナ２２０、第３アンテナ２３０、近距離無線通信用アンテナ２４０、非接触充電用コイル２５０）が形成される領域以外の領域には、図４に示すように、グランドパターン５２１が広範囲に形成されている。また、回路基板５０の裏面において上記のアンテナ類が形成される領域以外の領域には、図５に示すように、グランドパターン５２４が広範囲に形成されている。
【００５０】
上述した構成を有するカード型無線装置１によれば、次に述べるような効果が得られる。
【００５１】
（１）  第１アンテナ２１０、第２アンテナ２２０、及び第３アンテナ２３０が回路基板５０の縁（短辺５０１）に沿って並んで配置されているため、回路基板５０の縁（短辺５０１）より内側に実装される導電性の回路部品が各アンテナ（２１０、２２０、２３０）の電波の送信や受信に対して与える影響を低減できる。
【００５２】
（２）  カード型無線装置１は、角の部分を指などで把持されて使用される場合が多いことから、角（５１１、５１２）に配置された第１アンテナ２１０や第２アンテナ２２０は人体（特に指）と近接し易い。しかしながら、第１アンテナ２１０及び第２アンテナ２２０は、第３アンテナ２３０に比べて周波数帯域が低周波であり、電波の伝搬距離が長いため、第３アンテナ２３０に比べて人体の影響を受け難い。従って、角の部分を把持された場合でも、通信への影響を生じ難くすることができる。
【００５３】
（３）  第１アンテナ２１０及び第２アンテナ２２０が、それぞれ回路基板５０の角（５１１、５１２）に沿ってＬ字状に曲がっているため、これらのアンテナが特定の方向へ指向性を持ち難くすることができる。これにより、カード型無線装置１の向きや姿勢などに応じた送受信の性能のばらつきを抑えることができる。
【００５４】
（４）  第３アンテナ２３０が回路基板５０の縁（短辺５０１）に沿って直線状に伸びているため、回路基板５０の縁（短辺５０１）より内側に実装される導電性の回路部品が第３アンテナ２３０の電波の送信や受信に対して与える影響を低減できる。
【００５５】
（５）  第１アンテナ２１０が回路基板５０の角５１１に沿ってＬ字状に曲がっているとともに、第３アンテナ２３０と隣接する場所において、回路基板５０の縁（短辺５０１）に沿った方向から当該縁（短辺５０１）に対して離れる方向（Ｘ２方向）へＬ字状に曲がっている。これにより、第１アンテナ２１０の指向性を更に緩和できる。また、第１アンテナ２１０と第３アンテナ２３０との間に未実装領域５３０が設けられているため、第１アンテナ２１０の導体部分２１０Ａにおいて送受信される電波が回路部品の影響を受け難くなる。
【００５６】
（６）  第１アンテナ２１０、第２アンテナ２２０、及び第３アンテナ２３０が回路基板５０の表面にのみ形成されており、回路基板５０の裏面に形成されていないため、例えばカード型無線装置１の裏側を人体に向けた近接させた状態でカード型無線装置１が使用されても、これらのアンテナにおける送受信の性能が人体の影響を受け難くすることができる。また、近距離無線通信用アンテナ２４０及び非接触充電用コイル２３０が回路基板５０の裏面に形成されているため、カード型無線装置１の裏側を近距離無線通信のリーダ装置や非接触充電用のワイヤレス充電器に向けて使用する場合に、これらの機器に対して近距離無線通信用アンテナ２４０や非接触充電用コイル２３０を近接させ易くなる。
【００５７】
（７）  回路基板５０の中間領域５５０に配置されたバッテリー３０と回路基板５０との間にシート状の磁性部材３１が配置され、近距離無線通信用アンテナ２４０及び非接触充電用コイル２５０がバッテリー３０に対して磁性部材３１により覆われている。これにより、近距離無線通信用アンテナ２４０や非接触充電用コイル２５０において生じた磁界が磁性部材３１に集中し易くなり、バッテリー３０を構成する金属性の部材（例えば金属ケース）に磁界が到達し難くなる。そのため、金属性の部材に渦電流が流れることによる磁界の減少を抑制し、近距離無線通信用アンテナ２４０や非接触充電用コイル２５０の性能低下を抑えることができる。
【００５８】
（８）  バッテリー３０が配置された回路基板５０の中間領域５５０が、回路部品を実装しない未実装領域となっているため、長辺（５０３、５０４）の中央付近において回路基板５０の湾曲が生じることによる回路部品の離脱や接触不良を生じ難くすることができる。
【００５９】
（９）  回路基板５０の中間領域５５０に板状のバッテリーが配置されるため、長辺（５０３、５０４）の中央付近における回路基板５０の湾曲を生じ難くすることができる。
【００６０】
本発明は上述した実施形態には限定されない。すなわち、当業者は、本発明の技術的範囲又はその均等範囲において、上述した実施形態の構成要素に関し、様々な変更、コンビネーション、サブコンビネーション、並びに代替を行ってもよい。
【００６１】
例えば、上述した実施形態における各通信機能の通信方式は一例であり、それぞれ他の通信方式であってもよい。
【符号の説明】
【００６２】
１…カード型無線装置、１１…加速度センサ、１２…入力部、１３…表示部、１４…処理部、１５…記憶部、２１…ＬＰＷＡ通信部、２２…ＧＮＳＳ受信部、２３…ＢＬＥ通信部、２４…近距離無線通信部、２１０…第１アンテナ、２２０…第２アンテナ、２３０…第３アンテナ、２４０…近距離無線通信用アンテナ、２５０…非接触充電用コイル、２５…充電部、３０…バッテリー、３１…磁性部材、４１，４２…接着層、５０…回路基板、６１…表カバー、６２…裏カバー、７０…回路部品、７１…ＬＰＷＡ用ＩＣチップ、７２…ＧＮＳＳ用ＩＣチップ、７３…ＢＬＥ用ＩＣチップ、７４…充電用ＩＣチップ、５０１，５０２…短辺、５０３，５０４…長辺、５１１〜５１４…角、５２１，５２４…グランドパターン、５３０，５３１…未実装領域、５５０…中間領域
【図１】
2020014101.tif 000003
【図２】
2020014101.tif 000004
【図３】
2020014101.tif 000005
【図４】
2020014101.tif 000006
【図５】
2020014101.tif 000007